(57)【特許請求の範囲】
【請求項１】
光ディスクの記録面に対して昇降するトラバースシャーシと、
このトラバースシャーシ上に取り付けられるスピンドルモータと、
このスピンドルモータの主軸の先端部に固定され前記光ディスクを保持するターンテー
ブルと、
前記トラバースシャーシ上に支持され前記光ディスクの記録面に沿う半径方向に往復移
動する光ピックアップと、
を備えた光ディスク装置におけるトラバースシャーシへのスピンドルモータの取付け構造
であって、
前記スピンドルモータの底面には、前記主軸を中心とした半径方向に延びる長穴状の基
準穴が形成されるとともに、前記主軸を中心とした周方向の３個所で互いに等角度間隔を
あけてねじ穴が形成され、
前記トラバースシャーシには、前記基準穴が前記光ピックアップの移動方向と直角な方
向に延びるように配置された状態で、前記基準穴に係合する突起が形成されるとともに、
前記各ねじ穴に対応した位置にそれぞれ前記光ピックアップの移動方向と直角な方向に延
びる長穴状の貫通穴が形成されており、
前記光ピックアップの移動方向の当該貫通穴の幅は、前記ねじ穴の径と略同一であり、
前記スピンドルモータは、前記突起を前記基準穴に係合させながら、前記各貫通穴を通
じて各ねじ穴にそれぞれねじをねじ込むことにより、前記トラバースシャーシに取り付け
られ、
前記突起を前記基準穴に係合させたときの前記スピンドルモータの前記底面における当
該突起の断面形状が楕円形であって、
当該断面形状における前記光ピックアップの移動方向の第１の断面幅が、前記基準穴の
幅と略同一であり、
前記断面形状における前記光ピックアップの移動方向と直角な方向の第２の断面幅が、
前記光ピックアップの移動方向の前記第１の断面幅よりも小さくなっていることを特徴と
するトラバースシャーシへのスピンドルモータの取付け構造。
【請求項２】
光ディスクの記録面に対して昇降するトラバースシャーシと、
このトラバースシャーシ上に取り付けられるスピンドルモータと、
このスピンドルモータの主軸の先端部に固定され前記光ディスクを保持するターンテー
ブルと、
前記トラバースシャーシ上に支持され前記光ディスクの記録面に沿う半径方向に往復移
動する光ピックアップと、を備えた光ディスク装置におけるトラバースシャーシへのスピ
ンドルモータの取付け構造であって、
前記スピンドルモータの底面には、前記主軸を中心とした半径方向に延びる長穴状の基
準穴が形成されるとともに、前記主軸を中心とした周方向の少なくとも３個所で、前記主
軸を中心として互いに等角度間隔をあけてねじ穴が形成され、
前記トラバースシャーシには、前記基準穴が前記光ピックアップの移動方向と直角な方
向に延びるように配置された状態で、前記基準穴に係合する突起が形成されるとともに、
前記各ねじ穴に対応した位置にそれぞれ前記光ピックアップの移動方向と直角な方向に延
びる長穴状の貫通穴が形成されており、
前記光ピックアップの移動方向の当該貫通穴の幅は、前記ねじ穴の径と略同一であり、
前記突起を前記基準穴に係合させたときの前記スピンドルモータの前記底面における当
該突起の断面形状における前記光ピックアップの移動方向の第１の断面幅が前記基準穴の
幅と略同一であり、
前記断面形状における前記光ピックアップの移動方向と直角な方向の第２の断面幅が、
前記光ピックアップの移動方向の前記第１の断面幅よりも小さくなっていて、
前記スピンドルモータは、前記突起を前記基準穴に係合させながら、前記各貫通穴を通
じて各ねじ穴にそれぞれねじをねじ込むことにより、前記トラバースシャーシに取り付け
られることを特徴とするトラバースシャーシへのスピンドルモータの取付け構造。
【請求項３】
前記突起は、当該突起の前記断面形状が楕円形であることを特徴とする請求項２に記載
のトラバースシャーシへのスピンドルモータの取付け構造。
【発明の詳細な説明】
【技術分野】
【０００１】
本発明は、情報記録媒体であるＣＤやＤＶＤ等の光ディスクに対して情報の再生や記録
を行う光ディスク装置に関し、特に、光ディスクを回転させるためのスピンドルモータを
トラバースシャーシ上に取り付ける構造に関する。
【背景技術】
【０００２】
一般に、光ディスク装置は、クランプした光ディスクを回転させ、その光ディスクの記
録面にレーザー光を出射してその記録面上に情報を書き込んだり（記録）、更に光ディス
クの記録面で反射したレーザー光を受光してその記録面上の情報を読み取ったり（再生）
する。その再生や記録は、光ディスクの記録面に沿う半径方向に往復移動する光ピックア
ップによって行われる。この光ピックアップの移動の案内は、一般には、その移動方向と
平行にトラバースシャーシ上に支持された一対のガイド軸でなされる。
【０００３】
また、光ディスクのクランプは、ターンテーブルとこれに対向するクランパとの挟み込
みによってなされる。光ディスクの回転は、ターンテーブルが主軸の先端部に固定され、
トラバースシャーシ上に取り付けられたスピンドルモータの駆動によって行われる。
【０００４】
ここでのトラバースシャーシは、光ディスクが収納されたメインシャーシに対して回動
することで、その光ディスクの記録面に対して接近／離間移動するように上昇／下降（昇
降）し、最上昇した状態で光ディスクがクランプされる。
【０００５】
ところで、このような光ディスク装置においては、スピンドルモータをトラバースシャ
ーシ上に取り付ける際、光ピックアップの移動方向（光ディスクの半径方向いわゆるラジ
アル方向）と直角な方向（光ディスクの円周方向いわゆるタンジェンシャル方向）にその
取付け位置を調整できるようになっている。これを実現するトラバースシャーシへのスピ
ンドルモータの取付け構造に関し、その従来技術を図３〜図９を参照しながら説明する。
【０００６】
先ず、スピンドルモータの本質的な構成について説明する。図３、図４に示すように、
スピンドルモータ２は、大きくは、主軸４と、この主軸４を回転可能に支持する軸受５と
、この軸受５の周囲に配設された静止の電磁石６と、この電磁石６を取り囲むように永久
磁石７が取り付けられ主軸４に固定されたロータハウジング８とより構成される。軸受５
としては、主軸４が挿入されてその主軸４の周面を支持するスリーブ状のラジアル軸受５
Ａと、丸みを帯びた主軸４の下端面を支持する円板状のスラスト軸受５Ｂとを備え、これ
らのラジアル軸受５Ａとスラスト軸受５Ｂは、下端が閉ざされた筒状の軸受ホルダ９内に
嵌め込まれて保持されている。
【０００７】
主軸４は、その上端部が軸受ホルダ９から突出した状態で、スラスト軸受５Ｂによって
下方への移動が規制されながら、ラジアル軸受５Ａによって回転可能に支持されている。
また、主軸４の下端部の周面には、周方向に沿って溝４ａが形成されており、この溝４ａ
に装着されて軸受ホルダ９内に嵌め込まれたワッシャ１０によって、主軸４の上方への抜
けが防止されている。軸受ホルダ９は、スピンドルモータ２の底面となる金属製のベース
板１１に対してカシメ等で固定され、ベース板１１から上方へ大きく突出している。その
ベース板１１上には、スピンドルモータ２の駆動を制御する回路基板１２が取り付けられ
ており、この回路基板１２からはその回路に接続されたケーブル１３が延び出している。
【０００８】
ベース板１１から上方へ突出した軸受ホルダ９の周囲には、支持された主軸４を中心と
して等角度間隔をあけて半径方向に延び出す複数のコア６Ａが取り付けられており、これ
らの各コア６Ａには、コイル６Ｂが巻かれている。コイル６Ｂは回路基板１２の回路に接
続されている。これらのコア６Ａとコイル６Ｂが電磁石６として機能する。
【０００９】
ロータハウジング８は、金属板より成るものであって、電磁石６を取り囲む筒状部８ａ
と、この筒状部８ａの上端を塞ぎつつカシメ等で主軸４に固定された鍔状部８ｂとを有す
る。こうして、主軸４は、その上端部が鍔状部８ｂから大きく突出している。また、筒状
部８ａの内周面には、電磁石６に対して隙間をあけつつ、電磁石６に向けての個々の極性
がその周方向で互い違いになるように、複数の永久磁石７が取り付けられている。
【００１０】
このようなスピンドルモータ２では、正負が順次切り換わる電流（交流電流）がコイル
６Ｂに流されると、コア６Ａには向きが交互に反転する磁界が生じ、これにより、各永久
磁石７との磁気的な作用でロータハウジング８に回転力が与えられ、主軸４はロータハウ
ジング８と一体で回転駆動される。
【００１１】
また、主軸４の上端部には、合成樹脂より成る円盤状のターンテーブル３が嵌め込まれ
て固定されている。こうして、ターンテーブル３は、その背後にロータハウジング８の鍔
状部８ｂが配置された格好で、主軸４及びロータハウジング８と一体で回転するようにな
る。
【００１２】
ターンテーブル３は、その中央部が上方へ向けて大きく突出しており、光ディスクＤ（
図中の二点鎖線参照）は、その内周がその突出したターンテーブル３の中央部に案内され
る。また、ターンテーブル３上には、その周縁部に、適度な弾性を有しつつ摩擦係数の高
い環状のゴム板１５が両面粘着テープや接着剤等で貼り付けられており、光ディスクＤは
環状ゴム板１５上に接触支持される。また、ターンテーブル３の中央部には、磁性片１７
が埋め込まれている。この磁性片１７は、不図示のクランパに一体的に設けられた磁石と
の引力の作用によってクランパを上方から引き込み、これにより、そのクランパの下面と
ターンテーブル３の環状ゴム板１５上との間で光ディスクＤを挟み込んで強固にクランプ
する役割を果たす。
【００１３】
続いて、このようなスピンドルモータ２のトラバースシャーシへの取付けにまつわる構
成について説明する。図５に示すように、スピンドルモータ２の底面となるベース板１１
には、軸受ホルダ９すなわち主軸４を中心とした半径方向に延びる長穴状の基準穴２１が
形成されている。ここでの基準穴２１は、主軸４を中心にケーブル１３が延び出した方向
と直角な方向に配置されている。この基準穴２１は、詳細は後述するトラバースシャーシ
１からの突起３１が係合され、トラバースシャーシ１に対してのスピンドルモータ２の取
付け位置の位置決め基準に用いられる。
【００１４】
また、ベース板１１には、主軸４を中心とした周方向の３個所で互いに等角度間隔をあ
けてねじ穴２２Ａ、２２Ｂ、２２Ｃが形成されている。ここでは、３つのねじ穴２２Ａ、
２２Ｂ、２２Ｃのうち、１つのねじ穴２２Ａは、主軸４を中心に基準穴２１とは直角な位
置で、且つケーブル１３が延び出した方向と反対の方向に配置されている。従って、残り
の２つのねじ穴２２Ｂ、２２Ｃ同士は、互いに基準穴２１が延びる方向と平行に配置され
ることになる。これらのねじ穴２２Ａ、２２Ｂ、２２Ｃは、それぞれ、詳細は後述するト
ラバースシャーシ１の貫通穴３２Ａ、３２Ｂ、３２Ｃを通じたねじ４２Ａ、４２Ｂ、４２
Ｃがねじ込まれ、トラバースシャーシ１に対してのスピンドルモータ２の固定に用いられ
る。
【００１５】
また、ベース板１１には、主軸４を間に挟んで基準穴２１とは反対の位置に小径穴２３
が形成されている。この小径穴２３は、詳細は後述する調整用工具５０のピン５１が差し
込まれ、トラバースシャーシ１に対してのスピンドルモータ２の取付け位置の調整に用い
られる。
【００１６】
一方、図６に示すように、トラバースシャーシ１には、スピンドルモータ２のベース板
１１から突出する軸受ホルダ９の下端部を受け入れるための長穴状の中心穴３４が形成さ
れている。この中心穴３４は、光ピックアップの移動方向と直角な方向すなわちタンジェ
ンシャル方向に延びており、その幅は軸受ホルダ９の下端部の断面幅（径）とほぼ同一、
厳密には僅かに大きくなっている。
【００１７】
また、トラバースシャーシ１には、光ピックアップの存在する側と反対側にスピンドル
モータ２からのケーブル１３が延び出すようにスピンドルモータ２が配置された状態、す
なわちスピンドルモータ２のベース板１１に形成された基準穴２１がタンジェンシャル方
向に延びるように配置された状態で、その基準穴２１に係合する突起３１が形成されてい
る。ここでの突起３１は、断面形状が円形であって、その断面幅（径）が基準穴２１の幅
とほぼ同一、厳密には僅かに小さくなっている。
【００１８】
また、トラバースシャーシ１には、スピンドルモータ２のベース板１１に形成された各
ねじ穴２２Ａ、２２Ｂ、２２Ｃに対応した位置に、それぞれ長穴状の貫通穴３２Ａ、３２
Ｂ、３２Ｃが形成されている。これらの各貫通穴３２Ａ、３２Ｂ、３２Ｃは、タンジェン
シャル方向に延びており、その幅は各ねじ穴２２Ａ、２２Ｂ、２２Ｃの径、すなわち後述
する各ねじ４２Ａ、４２Ｂ、４２Ｃの径とほぼ同一、厳密には僅かに大きくなっている。
【００１９】
また、トラバースシャーシ１には、スピンドルモータ２のベース板１１に形成された小
径穴２３に対応した位置に、長穴状の貫通穴３３が形成されている。この貫通穴３３は、
光ピックアップの移動方向すなわちラジアル方向に延びており、後述する調整用工具５０
の軸部５２が差し込まれて回転できるようになっている。
【００２０】
このような構成のもと、トラバースシャーシ１へのスピンドルモータ２の取付けに際し
、図７、図８（ａ）、図８（ｂ）に示すように、トラバースシャーシ１へスピンドルモー
タ２を重ね、ベース板１１からの軸受ホルダ９の下端部を中心穴３４に係合させるととも
に、ベース板１１の基準穴２１にトラバースシャーシ１からの突起３１を係合させる。次
に、図８（ｃ）に示すように、トラバースシャーシ１の各貫通穴３２Ａ、３２Ｂ、３２Ｃ
より、それぞれねじ４２Ａ、４２Ｂ、４２Ｃを差し込んでベース板１１の各ねじ穴２２Ａ
、２２Ｂ、２２Ｃに軽くねじ込む。
【００２１】
この状態では、突起３１は、係合する基準穴２１により、ラジアル方向の移動が規制さ
れつつ、基準穴２１との長さ方向の隙間の分だけタンジェンシャル方向の移動が許容され
ている。もっとも、軸受ホルダ９の下端部は、係合する中心穴３４により、ラジアル方向
の移動が規制されつつタンジェンシャル方向の移動が許容され、各ねじ穴２２Ａ、２２Ｂ
、２２Ｃにねじ込まれた各ねじ４２Ａ、４２Ｂ、４２Ｃは、各貫通穴３２Ａ、３２Ｂ、３
２Ｃにより、ラジアル方向の移動が規制されつつタンジェンシャル方向の移動が許容され
ている。従って、スピンドルモータ２は、トラバースシャーシ１に対し、ラジアル方向で
は位置決めされ、タンジェンシャル方向ではその取付け位置が突起３１と基準穴２１との
長さ方向の隙間の分だけ調整できる状態にある。
【００２２】
このような状態で標準の光ディスクを載せ、専用の試験機により、スピンドルモータ２
がトラバースシャーシ１に対してタンジェンシャル方向で正規の位置にあるか否かを検出
する。その位置が正規の位置から外れている場合は、スピンドルモータ２をトラバースシ
ャーシ１に対してタンジェンシャル方向にずらして調整する。
【００２３】
その調整は、調整用工具５０を用いて行う。具体的には、調整用工具５０は、図９に示
すように、トラバースシャーシ１に形成された貫通穴３３の幅とほぼ同径の軸部５２と、
ベース板１１に形成された小径穴２３とほぼ同径でその軸部５２の先端面から偏芯して突
出するピン５１と、軸部５２の後端に連結された柄部５３とを有する。このような調整用
工具５０の柄部５３を持って、図８（ｄ）に示すように、軸部５２をトラバースシャーシ
１の貫通穴３３に差し込むとともに、ピン５１をベース板１１の小径穴２３に差し込み、
柄部５３を回して、軸部５２を貫通穴３３内で回転させる。これにより、ピン５１が貫通
穴３３の領域内で振れ、これに追従して、ベース板１１の小径穴２３がタンジェンシャル
方向に強制的にずらされる。こうして、スピンドルモータ２がトラバースシャーシ１に対
してタンジェンシャル方向にずらされて調整される。
【００２４】
そして、スピンドルモータ２がタンジェンシャル方向で正規の位置に調整されると、改
めて各ねじ４２Ａ、４２Ｂ、４２Ｃをベース板１１の各ねじ穴２２Ａ、２２Ｂ、２２Ｃに
強くねじ込む。これにより、ベース板１１がトラバースシャーシ１に強固に固定される。
こうして、トラバースシャーシ１へのスピンドルモータ２の取付けが完了する。
【００２５】
なお、このような取付け構造に加え、光ピックアップから光ディスクへのレーザー光の
入射角度いわゆるスキューを調整できるように、トラバースシャーシ１へのスピンドルモ
ータ２の取付け高さや、光ピックアップを案内するガイド軸の高さを調整できるような構
造にしたものもある（例えば特許文献１〜３参照）。
【特許文献１】特開２００５−６３５４９号公報
【特許文献２】特開２００４−８７０３１号公報
【特許文献３】特開２００３−８５７８０号公報
【発明の開示】
【発明が解決しようとする課題】
【００２６】
しかし、上記したトラバースシャーシ１へのスピンドルモータ２の取付け構造では、タ
ンジェンシャル方向へのスピンドルモータ２の取付け位置の調整代が狭いため、十分な調
整を行えない事態が生じることがある。その調整代は、トラバースシャーシ１の突起３１
とベース板１１の基準穴２１との長さ方向の隙間の分に限られるが、特にコスト低減を主
眼に汎用品のスピンドルモータ２を採用している場合、その基準穴２１の寸法は標準的に
規定されているためである。仮に、その調整代が大きくなるように、その基準穴２１の長
さ方向の寸法を変更すると、当然、スピンドルモータ２の調達コストの悪化を招く。
【００２７】
そこで本発明は、上記の問題に鑑みてなされたものであり、トラバースシャーシに対す
るスピンドルモータの取付け位置を、ラジアル方向では位置決めしつつ、タンジェンシャ
ル方向では十分に調整できる安価な取付け構造を提供することを目的とするものである。
【課題を解決するための手段】
【００２８】
上記目的を達成するため、本発明は、光ディスクの記録面に対して昇降するトラバース
シャーシと、このトラバースシャーシ上に取り付けられるスピンドルモータと、このスピ
ンドルモータの主軸の先端部に固定され前記光ディスクを保持するターンテーブルと、前
記トラバースシャーシ上に支持され前記光ディスクの記録面に沿う半径方向に往復移動す
る光ピックアップと、を備えた光ディスク装置におけるトラバースシャーシへのスピンド
ルモータの取付け構造であって、前記スピンドルモータの底面には、前記主軸を中心とし
た半径方向に延びる長穴状の基準穴が形成されるとともに、前記主軸を中心とした周方向
の３個所で互いに等角度間隔をあけてねじ穴が形成され、前記トラバースシャーシには、
前記基準穴が前記光ピックアップの移動方向と直角な方向に延びるように配置された状態
で、前記基準穴に係合する突起が形成されるとともに、前記各ねじ穴に対応した位置にそ
れぞれ前記光ピックアップの移動方向と直角な方向に延びる長穴状の貫通穴が形成されて
おり、前記光ピックアップの移動方向の当該貫通穴の幅は、前記ねじ穴の径と略同一であ
り、前記スピンドルモータは、前記突起を前記基準穴に係合させながら、前記各貫通穴を
通じて各ねじ穴にそれぞれねじをねじ込むことにより、前記トラバースシャーシに取り付
けられ、前記突起を前記基準穴に係合させたときの前記スピンドルモータの前記底面にお
ける当該突起の断面形状が楕円形であって、当該断面形状における前記光ピックアップの
移動方向の第１の断面幅が、前記基準穴の幅と略同一であり、前記断面形状における前記
光ピックアップの移動方向と直角な方向の第２の断面幅が、前記光ピックアップの移動方
向の前記第１の断面幅よりも小さくなっている。
【００２９】
このような構成にすると、スピンドルモータは、トラバースシャーシに対し、突起が基
準穴に係合することにより、光ピックアップの移動方向すなわちラジアル方向では移動が
規制されて位置決めされる一方、光ピックアップの移動方向と直角な方向すなわちタンジ
ェンシャル方向では突起と基準穴との長さ方向の隙間の分だけ移動が許容されてその取付
け位置が調整できるようになる。その取付け位置の調整代は、従来と比較して、突起にお
けるタンジェンシャル方向での断面幅がラジアル方向での断面幅よりも小さい分更に広が
る。従って、タンジェンシャル方向への取付け位置の調整を十分に行えるようになる。し
かも、スピンドルモータとしては、なんら変更を施すことなくそのまま汎用品を採用でき
るため、安価に実現できる。
【００３０】
また、上記目的を達成するために、本発明は、光ディスクの記録面に対して昇降するト
ラバースシャーシと、このトラバースシャーシ上に取り付けられるスピンドルモータと、
このスピンドルモータの主軸の先端部に固定され前記光ディスクを保持するターンテーブ
ルと、前記トラバースシャーシ上に支持され前記光ディスクの記録面に沿う半径方向に往
復移動する光ピックアップと、を備えた光ディスク装置におけるトラバースシャーシへの
スピンドルモータの取付け構造であって、前記スピンドルモータの底面には、前記主軸を
中心とした半径方向に延びる長穴状の基準穴が形成されるとともに、前記主軸を中心とし
た周方向の少なくとも３個所で、前記主軸を中心として互いに等角度間隔をあけてねじ穴
が形成され、前記トラバースシャーシには、前記基準穴が前記光ピックアップの移動方向
と直角な方向に延びるように配置された状態で、前記基準穴に係合する突起が形成される
とともに、前記各ねじ穴に対応した位置にそれぞれ前記光ピックアップの移動方向と直角
な方向に延びる長穴状の貫通穴が形成されており、前記光ピックアップの移動方向の当該
貫通穴の幅は、前記ねじ穴の径と略同一であり、前記突起を前記基準穴に係合させたとき
の前記スピンドルモータの前記底面における当該突起の断面形状における前記光ピックア
ップの移動方向の第１の断面幅が前記基準穴の幅と略同一であり、前記断面形状における
前記光ピックアップの移動方向と直角な方向の第２の断面幅が、前記光ピックアップの移
動方向の前記第１の断面幅よりも小さくなっていて、前記スピンドルモータは、前記突起
を前記基準穴に係合させながら、前記各貫通穴を通じて各ねじ穴にそれぞれねじをねじ込
むことにより、前記トラバースシャーシに取り付けられる。
【００３１】
このような構成にすると、スピンドルモータは、トラバースシャーシに対し、突起が基
準穴に係合することにより、光ピックアップの移動方向すなわちラジアル方向では移動が
規制されて位置決めされる一方、光ピックアップの移動方向と直角な方向すなわちタンジ
ェンシャル方向では突起と基準穴との長さ方向の隙間の分だけ移動が許容されてその取付
け位置が調整できるようになる。その取付け位置の調整代は、従来と比較して、突起にお
けるタンジェンシャル方向での断面幅がラジアル方向での断面幅よりも小さい分更に広が
る。従って、タンジェンシャル方向への取付け位置の調整を十分に行えるようになる。し
かも、スピンドルモータとしては、なんら変更を施すことなくそのまま汎用品を採用でき
るため、安価に実現できる。
【００３２】
ここで、トラバースシャーシに突起を形成するにあたり、その形成の容易性を踏まえる
と、前記突起は、当該突起の前記断面形状が楕円形であることが好ましい。
【発明の効果】
【００３４】
本発明の光ディスク装置におけるトラバースシャーシへのスピンドルモータの取付け構
造によれば、トラバースシャーシに対するスピンドルモータの取付け位置を、安価な構成
で、ラジアル方向では位置決めしつつ、タンジェンシャル方向では十分に調整できる。
【発明を実施するための最良の形態】
【００３５】
以下に、本発明の光ディスク装置におけるトラバースシャーシへのスピンドルモータの
取付け構造の一実施形態について、図面を参照しながら詳述する。図１は、本発明の一実
施形態である光ディスク装置におけるトラバースシャーシへのスピンドルモータの取付け
構造を示すトラバースシャーシの上面図、図２は、そのトラバースシャーシへスピンドル
モータを重ねた状態を示す下面図である。なお、これらの図中で図３〜図９と同じ名称で
同じ機能を果たす部分には同一の符号を付し、重複する説明は適宜省略する。
【００３６】
本実施形態では、スピンドルモータ２については、図３〜図５、図７に示すものとまっ
たく同様である。
【００３７】
一方、トラバースシャーシ１については、図１、図２に示すように、スピンドルモータ
２のベース板１１から突出する軸受ホルダ９の下端部を受け入れるための長穴状の中心穴
３４と、スピンドルモータ２のベース板１１に形成された各ねじ穴２２Ａ、２２Ｂ、２２
Ｃにねじ込まれる各ねじ４２Ａ、４２Ｂ、４２Ｃを通すための貫通穴３２Ａ、３２Ｂ、３
２Ｃと、スピンドルモータ２のベース板１１に形成された小径穴２３に差し込まれる調整
用工具５０を通すための貫通穴３３とは、従来のトラバースシャーシ１の態様とまったく
同様であるが（図６、図７参照）、スピンドルモータ２のベース板１１に形成された基準
穴２１に係合する突起３１は、従来のトラバースシャーシ１の態様と大きく異なる。
【００３８】
具体的には、トラバースシャーシ１には、光ピックアップの存在する側と反対側にスピ
ンドルモータ２からのケーブル１３が延び出すようにスピンドルモータ２が配置された状
態、すなわちスピンドルモータ２のベース板１１に形成された基準穴２１が光ピックアッ
プの移動方向と直角な方向すなわちタンジェンシャル方向に延びるように配置された状態
で、その基準穴２１に係合する突起３１が形成されている。この点は、従来のトラバース
シャーシ１の態様と同様である。
【００３９】
但し、ここでの突起３１は、断面形状が円形ではなく楕円形である。そして、光ピック
アップの移動方向すなわちラジアル方向での突起３１の断面幅が、基準穴２１の幅Ａとほ
ぼ同一、厳密には僅かに小さくなっており、タンジェンシャル方向での突起３１の断面幅
Ｂが、ラジアル方向での断面幅Ａよりも小さくなっている。なお、このような形状の突起
３１は、トラバースシャーシ１が例えばポリフェニレンエーテル（ＰＰＥ）等の合成樹脂
の成型品である場合、これを成型するための金型の彫刻部形状を修正することで簡単に得
られる。
【００４０】
このような構成にすると、スピンドルモータ２は、トラバースシャーシ１に対し、突起
３１が基準穴２１に係合することにより、ラジアル方向では移動が規制されて位置決めさ
れる一方、タンジェンシャル方向では突起３１と基準穴２１との長さ方向の隙間の分だけ
移動が許容されてその取付け位置が調整できるようになる。その取付け位置の調整代は、
従来と比較して、突起３１におけるタンジェンシャル方向での断面幅Ｂがラジアル方向で
の断面幅Ａよりも小さい分更に広がる。従って、タンジェンシャル方向への取付け位置の
調整を十分に行えるようになる。しかも、スピンドルモータ２としては、なんら変更を施
すことなくそのまま汎用品を採用できるため、安価に実現できる。
【００４１】
その他本発明は上記の実施形態に限定されず、本発明の趣旨を逸脱しない範囲で、種々
の変更が可能である。例えば、スピンドルモータ２のベース板１１に設けるねじ穴２２Ａ
、２２Ｂ、２２Ｃ、これらに対応するトラバースシャーシ１に設ける貫通穴３２Ａ、３２
Ｂ、３２Ｃ、及びねじ４２Ａ、４２Ｂ、４２Ｃの個数は、３個ずつに限らず、それ以上あ
ればよい。ねじ４２Ａ、４２Ｂ、４２Ｃによるねじ込み個所が３個所以上あれば、トラバ
ースシャーシ１にスピンドルモータ２を安定して取付け固定できるからである。
【００４２】
また、スピンドルモータ２のベース板１１に設けるねじ穴２２Ａ、２２Ｂ、２２Ｃ、及
びこれらに対応するトラバースシャーシ１に設ける貫通穴３２Ａ、３２Ｂ、３２Ｃの位置
は、主軸４を中心とした等角度間隔に限らず、トラバースシャーシ１にスピンドルモータ
２を安定して取付け固定できる限り、特に限定はない。
【００４３】
また、ターンテーブル３を回転させるスピンドルモータとして、上記の実施形態では主
軸４と共にロータハウジング８が回転するスピンドルモータ２を採用しているが、これに
代えて、静止のハウジングから先端部が突出した主軸が回転するスピンドルモータを採用
しても構わない。
【産業上の利用可能性】
【００４４】
本発明は、光ディスクに対して情報の再生や記録を行うための光ディスク装置に有用で
ある。
【図面の簡単な説明】
【００４５】
【図１】本発明の一実施形態である光ディスク装置におけるトラバースシャーシへのスピンドルモータの取付け構造を示すトラバースシャーシの上面図である。
【図２】図１のトラバースシャーシへスピンドルモータを重ねた状態を示す下面図である。
【図３】本発明にも共通する一般的なスピンドルモータの側面図である。
【図４】図３のスピンドルモータの縦断面図である。
【図５】本発明にも共通する一般的なスピンドルモータの下面図である。
【図６】従来のトラバースシャーシの上面図である。
【図７】図６のトラバースシャーシへスピンドルモータを重ねた状態を示す下面図である。
【図８】図６のトラバースシャーシへのスピンドルモータの取付け手順を示す側面図である。
【図９】本発明にも共通する一般的な調整用工具の斜視図である。
【符号の説明】
【００４６】
１    トラバースシャーシ
２    スピンドルモータ
３    ターンテーブル
４    主軸
５    軸受
８    ロータハウジング
９    軸受ホルダ
１１    ベース板
１２    回路基板
１３    ケーブル
２１    基準穴
２２Ａ、２２Ｂ、２２Ｃ  ねじ穴
２３    小径穴
３１    突起
３２Ａ、３２Ｂ、３２Ｃ  貫通穴
３３    貫通穴
３４    中心穴
４２Ａ、４２Ｂ、４２Ｃ  ねじ
【図１】
0004657854.tif 000002
【図２】
0004657854.tif 000003
【図３】
0004657854.tif 000004
【図４】
0004657854.tif 000005
【図５】
0004657854.tif 000006
【図６】
0004657854.tif 000007
【図７】
0004657854.tif 000008
【図８】
0004657854.tif 000009
【図９】
0004657854.tif 000010